(57)【要約】【課題】発熱による上昇気流と光の反射に基づいて空気中の微粒子量を判定する構成にあって傾斜配置時も正確な微粒子量を検知できる微粒子検知装置の提供を目的とする。【解決手段】光非透過で中空の外郭体１の下方と上方に設けた開口２ａ，２ｂと各開口を繋ぐ流路３と、流路３の中の下方に配置した上昇気流を生じさせる加熱手段４と、加熱手段４の上方にて光の反射に基づいて流路３の中を上昇気流により通過する微粒子を検出しパルス信号を出力する検出手段６と、パルス信号に基づいて空気中に含まれる微粒子量を判定する判定手段７を備えて、判定手段７は微粒子量の判定結果を外郭体１の傾斜角度に基づいて補正するという構成にしたことにより、装置を傾けて配置せざるを得ない使用条件であっても比較的に正確な微粒子量を検知できる微粒子検知装置を得られる。【選択図】図１
2016212024.tif 000002
【特許請求の範囲】
【請求項１】
内部に光を透過せず中空となる外郭体と、
前記外郭体の下方と上方に設けた開口と、
２つの前記開口を繋ぐ流路と、
前記流路の中の下方に配置した上昇気流を生じさせる加熱手段と、
光の反射に基づいて前記流路の中を前記上昇気流により通過する微粒子を検出してパルス信号を出力する検出手段と、
前記検出手段から出力されるパルス信号に基づいて前記微粒子の量を判定する判定手段と、
前記外郭体の傾斜角度を記憶した傾斜記憶手段と、
前記判定手段による判定結果と外郭体の傾斜角度とに基づいて前記微粒子の量を補正する補正手段とを備える微粒子検知装置。
【請求項２】
前記外郭体の傾斜角度を検出して前記傾斜記憶手段に記憶する傾斜検出手段を備え、
前記補正手段は、前記判定手段による判定結果と前記傾斜検出手段が検出した外郭体の傾斜角度とに基づいて前記微粒子の量を補正する請求項１記載の微粒子検知装置。
【発明の詳細な説明】
【技術分野】
【０００１】
本発明は、空気の微細なホコリによる汚染状態を判定するために使用される、空気中に含まれるホコリ量を測定するための微粒子検知装置に関するものである。
【背景技術】
【０００２】
近年、花粉やアレルギー性ハウスダスト、およびＰＭ２．５を代表とする、空気中に漂う微粒子であるところのホコリにまつわる健康問題が社会的に拡大している。このような問題に対処するためには空気中のホコリを捕集することで清浄な空気質を保つ空気清浄機等の空調装置の活用が有効である。
【０００３】
また、空気清浄機等においては、省エネルギーや利便性の観点からホコリの発生に応じて自動的に運転を行うことが望ましく、空気中のホコリ量に合わせてより最適に自動運転を行うものが求められている。
【０００４】
しかしながら、空気中のホコリ量を正確に検知するためには高精度な微粒子質量濃度計測機を使用する必要があるが、非常に高価であることから一般的な家電商品にて活用できるものではない。
【０００５】
よって、このような空気中のホコリ量を比較的精度よく安価に検知できる装置に対する要求が高まってきている。
【０００６】
従来、この種の空気中のホコリ量を検知する微粒子検知装置は、照射した光のホコリによる散乱反射光に基づいて検知する方式が知られている（例えば、特許文献１参照）。
【０００７】
以下、その微粒子検知装置について図６を参照しながら説明する。
【０００８】
図に示すように、従来の微粒子検知装置は、遮光性を有する中空のハウジング１００を外郭として、このハウジング１００には下端に空気を取り入れるための吸気口１０１と、上端に空気を排出するための排気口１０２を開けて内部に流路１０３を直線的に連通させて備えている。
【０００９】
また、吸気口１０１の上部には導入した空気を発熱により、下から上に向かい流動させる抵抗素子からなるヒータ１０４を備え、さらに流路１０３の略中央部に発光手段１０５と受光手段１０６とを左右対称に備えている。
【００１０】
また、この発光手段１０５の光の照射方向と受光手段１０６の受光域の中心とが交差する位置が測定領域Ｒとなり、この測定領域Ｒとヒータ１０４との間には、導入した空気を測定領域Ｒの大きさと同等あるいは若干小さい大きさに絞るための気流誘導板１０７が設けられている。
【００１１】
また、発光手段１０５の光の照射方向と受光手段１０６の受光方向には光を集光するための第１集光レンズ１０８と第２集光レンズ１０９が配設されている。
【００１２】
ここで、発光手段１０５は例えば半導体レーザーからなり、受光手段１０６は発光手段１０５の光の照射による測定領域Ｒからの浮遊粒子による散乱光を測定（検出）し、その受光した散乱光に相当するパルス電流を出力する例えばフォトダイオードを用いている。
【００１３】
このような構成において電源の通電によりヒータ１０４が昇温すると、ハウジング１００の煙突効果により上昇気流が生じ、下端の吸気口１０１から室内の空気が吸引される。この吸引された空気は、気流誘導板１０７によって測定領域Ｒを通過するように絞られ、該測定領域Ｒを通過して排気口１０２から室内に排気される。
【００１４】
ハウジング１００に上昇気流が生じると、測定領域Ｒにおいて発光手段１０５から照射する光により空気中に存在する浮遊粒子から散乱光が発せられ、この散乱光を受光手段１０６が受光するとその受光量に応じたパルス電流を出力する。
【００１５】
この出力されたパルス電流のパルス数を計数して相当するパルス幅を演算し、予め求めたデーターテーブルと比較する等の判定処理を行うことで、相当する空気中に存在するホコリ量を検知するものであった。
【先行技術文献】
【特許文献】
【００１６】
【特許文献１】特許第４５５５６６４号公報
【発明の概要】
【発明が解決しようとする課題】
【００１７】
このような従来の微粒子検知装置においては、上述したようにヒータ１０４の昇温によりハウジング１００の中の流路１０３に生じる上昇気流に基づいて、この上昇気流に乗り、測定領域Ｒを通過する浮遊粒子による発光手段１０５から照射した光の散乱光を受光手段１０６が受光することで得られた受光量に応じたパルス電流を得ていた。そしてこの得られたパルス電流からパルス数を計数し、相当するパルス幅を演算するなどして、予め求めているデーターテーブルと比較する等の判定処理を行うことで相当する空気中に存在するホコリ量を検知する構成となっていた。
【００１８】
よって、予めデーターテーブルを作成した時点の装置の配置等に変化があれば同一量の微粒子が潜在する空間条件であってもホコリ量の検知結果には違いが生じることとなる。
【００１９】
特にハウジング１００を傾けて配置せざるを得ないときは流路１０３に傾斜が生じることとなって、ヒータ１０４の昇温の上昇気流に基づく浮遊粒子の測定領域Ｒの通過速度も変化することにより、正確なホコリ量を検知することができないという課題を有していた。
【００２０】
そこで本発明は、上記従来の課題を解決するものであり、装置を傾けて配置せざるを得ない使用条件であっても比較的正確なホコリ量が検知できる微粒子検知装置を提供することを目的とする。
【課題を解決するための手段】
【００２１】
そして、この目的を達成するために、本発明は、内部に光を透過せず中空となる外郭体と、前記外郭体の下方と上方に設けた開口と、２つの前記開口を繋ぐ流路と、前記流路の中の下方に配置した上昇気流を生じさせる加熱手段と、光の反射に基づいて前記流路の中を前記上昇気流により通過する微粒子を検出してパルス信号を出力する検出手段と、前記検出手段から出力されるパルス信号に基づいて前記微粒子の量を判定する判定手段と、前記外郭体の傾斜角度を記憶した傾斜記憶手段と、前記判定手段による判定結果と、外郭体の傾斜角度とに応じて前記微粒子の量を補正する補正手段とを備える微粒子検知装置としたものであり、これにより所期の目的を達成するものである。
【発明の効果】
【００２２】
本発明によれば、外郭体を傾斜させて配置する必要があってもその傾斜角度に応じて微粒子量の判定結果を補正することができることとなるので、装置を傾けて配置せざるを得ない使用条件であっても比較的正確に微粒子量が検知できるという効果を得ることができる。
【図面の簡単な説明】
【００２３】
【図１】本発明の実施の形態１の微粒子検知装置の概略構成を部分切断して示した側面図
【図２】同微粒子検知手段の概略の回路構造を示す回路図
【図３】同装置の検出手段から出力されるパルス信号の生成の詳細を示すグラフ
【図４】同装置の傾きに対する内部の上昇気流の状態変化を模式的に部分切断して示した側面図
【図５】同装置の配置傾斜角度に対すると微粒子量の判定結果の一例を示したグラフ図
【図６】従来の微粒子検知装置の概略構成を部分切断して示した側面図
【発明を実施するための形態】
【００２４】
本発明に係る微粒子検知装置は、内部に光を透過せず中空となる外郭体と、前記外郭体の下方と上方に設けた開口と、２つの前記開口を繋ぐ流路と、前記流路の中の下方に配置した上昇気流を生じさせる加熱手段と、光の反射に基づいて前記流路の中を前記上昇気流により通過する微粒子を検出してパルス信号を出力する検出手段と、前記検出手段から出力されるパルス信号に基づいて前記微粒子の量を判定する判定手段と、前記外郭体の傾斜角度を記憶した傾斜記憶手段と、前記判定手段による判定結果と、外郭体の傾斜角度とに基づいて前記微粒子の量を補正する補正手段とを備える。これにより、外郭体を傾斜させて配置する必要があってもその傾斜角度に応じて微粒子量の判定結果を傾斜のない場合の値に補正することができることとなるので、装置を傾けて配置せざるを得ない使用条件であっても比較的正確に微粒子量が検知できる。
【００２５】
以下、本発明の実施の形態について図面を参照しながら説明する。なお本発明にて定義される微粒子には、花粉、ハウスダスト（ホコリ）、浮遊粒子状物質（ＳＰＭ：１０μｍ以下の粒子）、ＰＭ２．５（大気中に浮遊している２．５μｍ以下の粒子）等が含まれる。
【００２６】
（実施の形態１）
図１に示すように、装置の全体形状を保持する中空となる外郭体１の下方と上方には空気を外郭体１の内部に入排出できるように開口２ａ，２ｂをそれぞれ設けている。
【００２７】
外郭体１の内部には空気が通過できるように開口２ａ，２ｂを繋いで流路３を設けて、この流路３の中の下方には発熱に基づく図上矢印線で模式的に示した上昇気流を生じさせるための加熱手段４を配置している。
【００２８】
この加熱手段４の上方には、図１上点線にて囲み示した検出手段６を配置している。
【００２９】
検出手段６は、流路３の中の固定となる検知領域５を上昇気流に含まれて通過する、ホコリであるところの微粒子を、光の反射に基づいて検出してパルス信号を出力する。
【００３０】
また、この検出手段６から出力されたパルス信号を読み取り基づくことで微粒子量の判定を行う判定手段７を備えている。この判定手段７において外郭体１の製品搭載に対する取り付け時の傾斜角度に応じて傾斜記憶手段７ａと補正手段７ｂとを備えて微粒子量の判定結果を補正するものである。
【００３１】
ここで、外郭体１は装置の全体形状を保持し、内部に光を透過しない部材であればその構成材料に規定はなく、例えば黒色着色のＡＢＳ等の樹脂材にて成型する。
【００３２】
ここで、加熱手段４は一定の発熱を生じるものであれば特別の要件はなく、例えば一定電圧の電源の印加によって一定の電力を消費して発熱（温度上昇）を生じる抵抗素子を用いたものでよい。
【００３３】
ここで、検出手段６は光を照射する発光素子８と、光を受光し、その光量に応じた電流信号を出力する受光素子９と、受光素子９から出力される電流信号から検出した微粒子の量に対応したパルス信号を変換して出力する信号変換手段１０から構成している。
【００３４】
この発光素子８と受光素子９は、照射した光が直接的に受光されないように光の照射方向の中心と受光方向の中心とが直行しないように対向させて配置している。
【００３５】
この発光素子８としては、例えば電源の印加で一方向に光を照射する発光ＬＥＤや半導体レーザーを用いる。
【００３６】
また、受光素子９は、例えば受光した光量に応じて導通電流が変化するフォトダイオードを用いる。
【００３７】
また、発光素子８の光の照射方向と受光素子９の受光方向にはレンズ１１ａ，１１ｂを配置して集光することにより、検知領域５での光量を高め、より微細な微粒子を検出できるようにしている。
【００３８】
なお、このレンズ１１ａ，１１ｂは光量を高めるものであるため、配置しなくとも目的とする検出仕様を満足できれば必須ではない。
【００３９】
ここで、信号変換手段１０は図２にて一点鎖線にて囲み示しているように増幅手段１２と比較手段１３と電圧変換手段１４とから構成している。
【００４０】
増幅手段１２では、発光素子８から照射し図上、微粒子１５にて模式的に示す空気中の微粒子にて散乱された光を受光素子９にて受光した結果出力される電流信号を、電圧値に変換した後に増幅する。これにより扱いやすい大きさの電圧信号が得られる。
【００４１】
比較手段１３は、増幅手段１２で得られた電圧信号と、判定基準値となる電圧閾値とを比較することで、パルス状の矩形波形となる電圧信号に変換して出力する。
【００４２】
電圧変換手段１４は、矩形波形に変換された電圧信号を、判定手段７にて読み取りに適した電圧値に変換するものであって、検出手段６から出力されるパルス状の電圧信号となるパルス信号を生成するものである。
【００４３】
この信号変換手段１０の構成要素となる増幅手段１２と比較手段１３と電圧変換手段１４とは、電源手段１６から供給される安定化した直流の電力により作動する。
【００４４】
ここで、増幅手段１２は特定の仕様を求めるものではなく、微小な電圧信号を必要とする電圧に増幅するための一般的な直流型の演算増幅器（オペアンプ）を主要とした回路で構成する。
【００４５】
また、比較手段１３も特定の仕様を求めず入力される電圧信号と、判定基準値となる電圧閾値とを比較することで、パルス状の電圧信号に変換して出力する一般的な比較器（コンパレーター）を主要とした回路で構成する。
【００４６】
また、電圧変換手段１４は、パルス信号の電圧値を判定手段７の入力に適した値に変換するものであるために、例えば単純なトランジスター素子と抵抗素子を組合せたスイッチ回路にて構成する。
【００４７】
また、電源手段１６は安定化した直流の電力を供給できるものであれば特定せず、その構成は本実施の形態の要旨には関係しないことから詳細の説明は省略する。
【００４８】
なお、比較手段１３と電圧変換手段１４は絶対的に必要となる構成ではない。
【００４９】
例えば、比較手段１３から出力されるパルス状の電圧信号が、判定手段７の入力に適した電圧値以内であれば電圧変換手段１４は省いてもかまわない。
【００５０】
同様に、信号変換手段１２から出力される増幅した電圧信号が、判定手段７の入力に適した電圧値以内であれば比較手段１３も省くことができる。
【００５１】
ここで、判定手段７は、例えば１チップのマイクロコンピューターを用いて構成したものである。
【００５２】
このマイクロコンピューターは、演算や判定処理を行う中央演算装置、入出力端子、Ａ／Ｄ入力端子、リードオンリーメモリーやランダムアクセスメモリー等を一体としたものである。入出力端子は、外部の電圧変化の信号を取り込み、出力を行い、Ａ／Ｄ入力端子は、アナログ電圧信号をデジタル値に変換して取り込む。リードオンリーメモリーは、動作手順をソフトウェアーとして記憶している。ランダムアクセスメモリーは、演算や判定状態を一時的に保存するものである。
【００５３】
このようなマイクロコンピューターにて構成した判定手段７においては、備える入力端子１７を介して検出手段６から出力されたパルス信号をＨｉ電位やＬｏ電位、あるいはアナログ電圧値の変化からデジタル値の変化として内部へ読み込むこことなる。
【００５４】
なお、Ｈｉ電位は許容される電圧の電気信号の仕様で規定される駆動電源の電圧電位（例えば５Ｖ）である。Ｌｏ電位は、基準電位（ＧＮＤ）である。
【００５５】
また、一連の微粒子量の判定の手順をソフトウェアーにて記述したプログラムとしてリードオンリーメモリー上に記憶させ、この手順を規定のタイミングに合わせて、この内部に読み込んだ電気信号のデジタル値の変化に応じて実行することにより要求される判定処理を実現するものである。
【００５６】
次に、図３に示すグラフを用いて検出手段６から出力されるパルス信号の生成の詳細を説明する。
【００５７】
同図は受光手段９から出力され、増幅手段１２により変換し、増幅された電圧信号（図上Ｖｓ）と、比較手段１３にて電圧比較され、電圧変換手段１４にて電圧変換によりパルス状の電圧信号として出力されたパルス信号（図上Ｓｐ）の変化の一例を示している。
【００５８】
図上、縦軸は各電圧値を示し横軸に時間（図上Ｔ）を配置して、時間の進行に対する各信号の変化の状態を示している。
【００５９】
なお、図上のパルス信号Ｓｐが検出手段６からの出力信号となるが信号の低位側の電圧状態が微粒子１５を検知している状態となる。
【００６０】
ここで、流路３には加熱手段４の一定の発熱に基づいてほぼ一定速度となる上昇気流が生じる。
【００６１】
この一定速度となる上昇気流によって空気中に含まれる微粒子もその大きさや重さに応じて一定速度にて検知領域５を通過することとなる。
【００６２】
よって、受光手段９より出力される電流信号は微粒子１５の粒子径が大きいほど持続時間が長く大きくなる。
【００６３】
このことから増幅手段１２から出力される電圧信号Ｖｓも検出対象となった微粒子１５の粒子径が大きいほどパルス幅と電圧値が大きくなり、アナログ的に変化する形状となる。
【００６４】
比較手段１３においては図上一点鎖線にて示す閾値電圧（図上Ｖｒ）との間でこの電圧信号Ｖｓを電圧比較することから、電圧信号Ｖｓに閾値電圧Ｖｒ以上の変化があればパルス状の矩形波形となる電圧信号が出力される。
【００６５】
電圧変換手段１４は、電圧変換のみを果たすために出力する電圧信号は比較手段１３から出力される矩形波形と同形状（あるいは反転した形状）に変化することとなり、この信号がパルス信号（図上Ｓｐ）として検出手段６から出力されることとなる。
【００６６】
以上のことから、検知領域５を一定速度にて通過する検出対象となった微粒子１５の粒子径に比例して、検出手段６から出力されるパルス信号Ｓｐのパルス幅（時間）も大きくなる。
【００６７】
また、検出対象となる微粒子１５は検知領域５を一定速度にて通過していることから一定の単位時間において得られるパルス信号Ｓｐの数が多くなれば空気中に含まれる微粒子量がより多いことを示す。
【００６８】
よって、単位時間当りの全パルス信号Ｓｐの総和した時間幅より時間比率を求め、例えば高精度な微粒子質量濃度計測機等の同時測定により得た空気中の微粒子の質量濃度との関係（相関関係）を求めておけば空気中に含まれる微粒子量が特定できることとなる。
【００６９】
判定手段７においては、マイクロコンピューター上にて前記の関係を記憶しておき、読み込むパルス信号Ｓｐの単位時間における時間比率を求める一連の処理を実行することで相関関係に基づいて空気中に含まれる微粒子量の判定が可能となる。
【００７０】
次に、図４と図５に基づいて外郭体１の傾斜角度に対する微粒子量の判定結果の補正について説明する。
【００７１】
図４は本装置の傾きに対する流路３の中の上昇気流の状態変化を示しており、主要構成となる外郭体１を側面から見たとき上下端に開口２ａ，２ｂを設けて流路３で繋いだ直立の中空体とみなし、下方に加熱手段４のみを配置して簡略化して表現したものである。
【００７２】
また、図上、左側から右側にかけて傾斜が増した状態となる。
【００７３】
ここで、加熱手段４の発熱に基づく空気の上昇力は常に鉛直上方向に向かう力となる。
【００７４】
このことから図上、最左の傾きがない状態においてはこの上昇力（図上、上向きの太矢印線にて表現）は流路３の中の空気に最も強く作用して最速の上昇気流を生じさせる。
【００７５】
傾きが大きくなると上昇力は流路３の傾き方向と外郭体１の内面を垂直方向に押さえる力に２分化されるために流路３の傾き方向に直接的に作用する力は小さくなる（図上、一点鎖線および破線の矢印線にて表現）。
【００７６】
よって、原理的には流路３の中に生じる空気の流れとなる上昇気流も外郭体１の傾斜角度に合わせて低速化することとなる。
【００７７】
しかしながら現実の構造体においては流路３の内面構成の凹凸や傾斜時の空気の流れの偏りの影響も受けるために検知領域５を通過する上昇気流の速度や分布は変化する。
【００７８】
このような様々な要因の影響により空気中の微粒子量を同一とした条件下においても外郭体１の傾斜角度を変えると微粒子量の判定結果も変化することとなる。
【００７９】
このような外郭体１の傾斜角度に対すると微粒子量の判定結果の一例を図５に示す。
【００８０】
同図は横軸を傾斜角度、縦軸を判定結果となる微粒子量の質量濃度の変化率として空気中の微粒子量を同一条件とした状態において外郭体１の傾斜角度（図上ｄにて表現）に対する濃度比率（図上Ｒｃにて表現）を複数回測定し記録（図上点印）したものである。
【００８１】
本例においては図に示されているように傾斜のない状態から角度が増すに連れ、ある角度範囲（図上ｎｄにて表現）までは濃度比率がほぼ直線上に低下していることがわかる。
【００８２】
これは前記にて述べたように傾斜角度が増すに連れ、加熱手段４の発熱に基づく空気の上昇力の上昇気流に寄与する力が小さくなることから、ある程度の角度を超えると他の影響作用が勝ることで微粒子量の判定結果のバラツキが大きくなるためである。
【００８３】
このように、この角度ｎｄまでであれば傾斜の変化に対して濃度比率Ｒｃは直線状に低下するとみなせることから、この直線の傾斜率の逆数を補正係数αとして予め求めて微粒子量の判定結果に対して乗ずれば傾きのない状態の微粒子量を判定できることがわかる。
【００８４】
よって、外郭体１の機器への搭載時の傾斜角度に対する補正係数αを予め求めておき、この補正係数αを用いて微粒子量の判定時点において補正を行えば正しい（傾きのない状態の）微粒子量を判定できることとなる。言い換えると、外郭体１の傾斜角度を用いて補正を行うことで、正しい微粒子量を判定できる。この補正の方法を判定手段７においてルーチン化してマイクロコンピューター上にて補正処理を記憶しおく。
【００８５】
具体的には、傾斜記憶手段７ａにて予め決められた傾斜角度を記憶し、又はこの傾斜角度に基づいた補正係数αを記憶する（本実施の形態では、傾斜角度との記載が補正係数αを含むものとする）。そして、補正手段７ｂが、傾斜角度と判定した微粒子量とに基づいて微粒子量を補正する。この補正に基づいて実際の微粒子量が確定するのである。
【００８６】
そして、読み込むパルス信号Ｓｐの単位時間における時間比率を求める一連の処理を実行した上、補正を加えることで外郭体１の搭載傾斜によらない空気中に含まれる微粒子量の連続的な判定が可能となり、正確な微粒子量の検知を実現できることとなる。
【００８７】
なお、実際は装置の流路３の内面構造等の影響により外郭体１の傾斜角度と濃度比率Ｒｃの関係は直線状に変化しない場合もある。
【００８８】
しかしながらこの時も装置に配置する状態での傾きの角度の１点での補正係数αを予め求めておけば補正が可能となることは言うまでもない。
【００８９】
なお、加熱手段４の発熱に基づく上昇気流の流速は空気中に含まれる微粒子の量にはほぼ影響されない。よって、装置の流路３の構造に変化がなければ外郭体１の傾斜角度と濃度比率Ｒｃの関係は大きくは変化しないために、補正に対して微粒子量の違いは通常考慮不要である。
【００９０】
しかしながら実測において傾斜角度と濃度比率Ｒｃの関係が空気中に含まれる微粒子の量に影響されるようであれば、空気中に含まれる微粒子に対する微粒子量の補正前の判定値に対する濃度比率Ｒｃを表化してデーターベースとして記憶する。
【００９１】
このデーター化した濃度比率Ｒｃを用いて微粒子量の判定結果を補正すれば正しい微粒子量を検知することができる。
【００９２】
このような微粒子検知装置によれば、内部に光を透過せず中空となる外郭体１と、前記外郭体の下方と上方に設けた開口２ａ，２ｂと、２つの前記開口２ａ，２ｂを繋ぐ流路３と、前記流路３の中の下方に配置した上昇気流を生じさせる加熱手段４と、光の反射に基づいて前記流路３の中を前記上昇気流により通過する微粒子を検出してパルス信号を出力する検出手段６と、前記検出手段６から出力されるパルス信号に基づいて微粒子の量を判定する判定手段７と、前記外郭体の傾斜角度を記憶した傾斜記憶手段７ａと、前記判定手段７による判定結果（微粒子量判定）と、外郭体の傾斜角度とに応じて前記微粒子の量を補正する補正手段７ｂとを備える。
【００９３】
これにより、装置の配置傾斜角度に応じて微粒子量の判定結果を補正することができることとなるので、装置を傾けて配置せざるを得ない使用条件であっても比較的に正確に微粒子量を検知することができる。
【００９４】
なお、本実施例においては検出手段６と判定手段７を分離した構成として説明しているが、装置の構成上、検出手段６と判定手段７を一体化して備えてもよく、その効果に差異はない。
【００９５】
また、判定手段７の微粒子量の判定と補正の処理を搭載する製品の制御装置（マイクロコンピューターを主要として成る）上にて実行するものとして単独の判定手段７を不要化してもかまわず、その効果に差異はない。
【００９６】
また、外郭体１の傾斜角度が予め決まっている場合は、傾斜角度（傾斜角度に基づく補正係数αも含む）を予め記憶しておればよい。しかし傾斜角度が設置状態によって変わるような場合には、傾斜角度を検知して傾斜記憶手段７ａに記憶し、あるいはさらに補正係数αを演算する傾斜検出手段を備えてもよい。
【００９７】
これにより、傾斜角度が一定していない場合でも正確な微粒子量を取得することができる。
【産業上の利用可能性】
【００９８】
本発明にかかる微粒子検知装置は、照射光の散乱による反射光の強度に基づいて空気中に存在する微粒子からなる微粒子量を検知するものにあって装置の傾斜配置が必要であってもその角度に応じて微粒子量の判定結果を補正して比較的に正確な微粒子量の検知を可能とするものであるので、多様な配置条件において微粒子量をより正確に検知できる微粒子検知装置等として有用である。
【符号の説明】
【００９９】
１  外郭体
２ａ，２ｂ  開口
３  流路
４  加熱手段
６  検出手段
７  判定手段
７ａ  傾斜記憶手段
７ｂ  補正手段
【図１】
2016212024.tif 000003
【図２】
2016212024.tif 000004
【図３】
2016212024.tif 000005
【図４】
2016212024.tif 000006
【図５】
2016212024.tif 000007
【図６】
2016212024.tif 000008